(57)【特許請求の範囲】
【請求項１】
複数の加入者交換機と、この加入者交換機を制御するサービス制御ノードと、前記加入者交換機にそれぞれ収容された多数の通信端末とを含み、前記加入者交換機が前記通信端末から呼設定要求（ＳＥＴＵＰ）を受信すると、前記サービス制御ノードとともに相手通信端末に向かう通信パスを設定してＡＴＭ通信を行う通信網において、
前記サービス制御ノードは、そのサービス制御ノードにあらかじめ登録された複数の通信端末間で一つの通信端末を発信元とし他の複数の通信端末を接続先とする片方向の通信が接続されたことを検知すると、接続先通信端末を収容する前記加入者交換機に対して発信元情報を含む追加処理要求を発する手段を備え、
当該加入者交換機は、前記追加処理要求を受信すると、収容している前記接続先通信端末に対して前記発信元情報を含む発呼要求を発する手段を備え、
当該接続先通信端末は、前記発呼要求を受信すると、前記加入者交換機に対して前記発信元通信端末に向けた追加要求（ＡＤＤＰＡＲＴＹ）を通知する手段を備え、
一つの通信端末から他の通信端末に向かう片方向の通信および他の通信端末から一つの通信端末に向かう片方向の通信を共に接続して双方向の通信とするとともに、さらに他の通信端末を追加設定して前記一つの通信端末をルートとする双方向のポイント・ツ・マルチポイント通信を設定接続する
ことを特徴とする通信網。
【請求項２】
ａ．前記網に接続される通信端末ＴＡが、あらかじめサービス制御ノードに登録されているグループＧに含まれる通信端末との接続を要求するため、通信端末ＴＡを収容する加入者交換機ＳＡに対して呼設定要求（ＳＥＴＵＰ）を発行する手段、
ｂ．前記呼設定要求（ＳＥＴＵＰ）を受信した加入者交換機ＳＡが、前記サービス制御ノードに対して、前記グループＧに含まれる接続先通信端末の論理アドレスから物理アドレスへの変換を要求するためのアドレス情報要求を発行する手段、
ｃ．前記アドレス情報要求を受信したサービス制御ノードが、加入者交換機ＳＡに対して、前記アドレス情報要求への応答信号であるアドレス情報を発行する手段、
ｄ．前記アドレス情報を受信した加入者交換機ＳＡが、このアドレス情報から通信端末ＴＡの物理アドレスを取得し、通信端末ＴＡに対して呼設定要求（ＳＥＴＵＰ）を発行するとともに、サービス制御ノードに対してアドレス情報の受信を通知するためアドレス情報要求終了を発行する手段、
ｅ．前記グループＧに含まれる通信端末ＴＢが、グループＧに含まれる他の通信端末との接続を要求するため、通信端末ＴＢを収容する加入者交換機ＳＢに対して呼設定要求（ＳＥＴＵＰ）を発行する手段、
ｆ．前記呼設定要求（ＳＥＴＵＰ）を受信した加入者交換機ＳＢが、前記サービス制御ノードに対して、前記グループＧに含まれる接続先通信端末の論理アドレスから物理アドレスへの変換を要求するためのアドレス情報要求を発行する手段、
ｇ．前記アドレス情報要求を受信したサービス制御ノードが、加入者交換機ＳＢに対して、前記アドレス情報要求への応答信号であるアドレス情報を発行する手段、
ｈ．アドレス情報を受信した加入者交換機ＳＢが、ルーティング処理の後に加入者交換機ＳＡを経由して通信端末ＴＡに対して呼設定要求（ＳＥＴＵＰ）を発行するとともに、サービス制御ノードに対してアドレス情報の受信を通知するためにアドレス情報要求終了を発行する手段、
ｉ．前記アドレス情報要求終了を受信したサービス制御ノードが、加入者交換機ＳＡに対して、通信端末ＴＡが通信端末ＴＢへの追加要求（ＡＤＤＰＡＲＴＹ）を発行することを要求する信号である追加処理要求を発行する手段、
ｊ．前記追加処理要求を受信した加入者交換機ＳＡが、通信端末ＴＡに対して発呼要求を発行する手段、
ｋ．前記発呼要求を受信した通信端末ＴＡが、加入者交換機ＳＡに対して通信端末ＴＢへの追加要求（ＡＤＤＰＡＲＴＹ）を発行する手段、
ｌ．前記追加要求（ＡＤＤＰＡＲＴＹ）を受信した加入者交換機ＳＡが、ルーティング処理の後に加入者交換機ＳＢを経由して通信端末ＴＢに対して呼設定要求（ＳＥＴＵＰ）を発行するとともに、サービス制御ノードに対して追加処理要求の受信を通知するための追加処理要求終了を発行する手段、
ｍ．前記グループＧに含まれる通信端末ＴＣが、グループＧに含まれる他の通信端末との接続を要求するため、通信端末ＴＣを収容する加入者交換機ＳＣに対して呼設定要求（ＳＥＴＵＰ）を発行する手段、
ｎ．前記呼設定要求（ＳＥＴＵＰ）を受信した加入者交換機ＳＣが、前記サービス制御ノードに対して、前記グループＧに含まれる接続先通信端末の論理アドレスから物理アドレスへの変換を要求するためのアドレス情報要求を発行する手段、
ｏ．前記アドレス情報要求を受信したサービス制御ノードが、加入者交換機ＳＣに対して、前記アドレス情報要求への応答信号であるアドレス情報を発行する手段、
ｐ．アドレス情報を受信した加入者交換機ＳＣが、ルーティング処理の後に加入者交換機ＳＡを経由して通信端末ＴＡに対して呼設定要求（ＳＥＴＵＰ）を発行するとともに、サービス制御ノードに対してアドレス情報の受信を通知するためにアドレス情報要求終了を発行する手段、
ｑ．前記アドレス情報要求終了を受信したサービス制御ノードが、加入者交換機ＳＡに対して、通信端末ＴＡが通信端末ＴＣへの追加要求（ＡＤＤＰＡＲＴＹ）を発行することを要求する信号である追加処理要求を発行する手段、
ｒ．前記追加処理要求を受信した加入者交換機ＳＡが、通信端末ＴＡに対して発呼要求を発行する手段、
ｓ．前記発呼要求を受信した通信端末ＴＡが、加入者交換機ＳＡに対して通信端末ＴＣへの追加要求（ＡＤＤＰＡＲＴＹ）を発行する手段、
ｔ．前記追加要求（ＡＤＤＰＡＲＴＹ）を受信した加入者交換機ＳＡが、ルーティング処理の後に加入者交換機ＳＣを経由して通信端末ＴＣに対して呼設定要求（ＳＥＴＵＰ）を発行するとともに、サービス制御ノードに対して追加処理要求の受信を通知するために追加処理要求終了を発行する手段、
ｕ．前記アドレス情報要求を受信したサービス制御ノードが、加入者交換機ＳＣに対して、通信端末ＴＣが通信端末ＴＢへの追加要求（ＡＤＤＰＡＲＴＹ）を発行することを要求する信号である追加処理要求を発行する手段、
ｖ．前記追加処理要求を受信した加入者交換機ＳＣが、通信端末ＴＣに対して発呼要求を発行する手段、
ｗ．前記発呼要求を受信した通信端末ＴＣが、加入者交換機ＳＣに対して通信端末ＴＢへの追加要求（ＡＤＤＰＡＲＴＹ）を発行する手段、
ｘ．前記追加要求（ＡＤＤＰＡＲＴＹ）を受信した加入者交換機ＳＣが、ルーティング処理の後に加入者交換機ＳＢを経由して通信端末ＴＢに対して呼設定要求（ＳＥＴＵＰ）を発行するとともに、サービス制御ノードに対して追加処理要求の受信を通知するため追加処理要求終了を発行する手段、
ｙ．前記アドレス情報要求終了を受信したサービス制御ノードが、加入者交換機ＳＢに対して、通信端末ＴＢが通信端末ＴＣへの追加要求（ＡＤＤＰＡＲＴＹ）を発行することを要求する信号である追加処理要求を発行する手段、
ｚ．前記追加処理要求を受信した加入者交換機ＳＢが、通信端末ＴＢに対して発呼要求を発行する手段、
α．前記発呼要求を受信した通信端末ＴＢが、加入者交換機ＳＢに対して通信端末ＴＣへの追加要求（ＡＤＤＰＡＲＴＹ）を発行する手段、および
β．前記追加要求（ＡＤＤＰＡＲＴＹ）を受信した加入者交換機ＳＢが、ルーティング処理の後に加入者交換機ＳＣを経由して通信端末ＴＣに対して呼設定要求（ＳＥＴＵＰ）を発行するとともに、サービス制御ノードに対して追加処理要求の受信を通知するために追加処理要求終了を発行する手段、
を含む請求項１記載の通信網。
【発明の詳細な説明】
【０００１】
【発明の属する技術分野】
本発明は複数の通信端末を双方向に接続して行う通信に利用する。本発明はＡＴＭ（Ａｓｙｎｃｈｒｏｎｏｕｓ  Ｔｒａｎｓｆｅｒ  Ｍｏｄｅ）通信に利用するに適する。
【０００２】
【従来の技術】
一般に、加入者交換機および中継交換機を含む広帯域交換機と、伝送媒体から構成されるＡＴＭインタフェースを用いた広帯域通信網（以下、通信網と記す）では、ＩＴＵ−Ｔが規定する手順にしたがった呼設定が行われる。呼の起点となる通信端末をルート端末と呼ぶ。この従来例を図２７〜図３０を参照して説明する。図２７および図２９は従来例のルート端末と他の通信端末との呼設定を示すシークエンスチャートである。図２８および図３０は従来例のルート端末と他の通信端末との呼設定の状況を示す図である。
【０００３】
この網に相互接続した２つの通信端末ＴＡおよびＴＢが通信を行うとき、図２７に示すように、１つのルート端末となる通信端末ＴＡが、この通信端末ＴＡを収容している加入者交換機ＳＡに呼設定要求（ＳＥＴＵＰ）を発行すると、この加入者交換機ＳＡは、加入者交換機ＳＢにＩＡＭ（Ｉｎｉｔｉａｌ  Ａｄｄｒｅｓｓ  Ｍｅｓｓａｇｅ）  を発行し、ＩＡＭを受信した加入者交換機ＳＢは、ルーティングを行うことにより、通信端末ＴＢに呼設定要求（ＳＥＴＵＰ）を送信することにより呼設定を行う。これにより、図２８に示すように、通信端末ＴＡから通信端末ＴＢに向かう呼が設定される。
【０００４】
図２７に示す手順にしたがって設定された呼に、別の通信端末ＴＣ（新規端末）を追加するとき、図２９に示すように、ルート端末である通信端末ＴＡが加入者交換機ＳＡに通信端末ＴＣについての追加要求（ＡＤＤＰＡＲＴＹ）を発行する。
【０００５】
このとき、加入者交換機ＳＡは、加入者交換機ＳＣにＩＡＭを発行し、ＩＡＭを受信した加入者交換機ＳＣは、ルーティングを行うことにより、通信端末ＴＣに呼設定要求（ＳＥＴＵＰ）を送信する。このように通信端末ＴＡは、新規端末としての通信端末ＴＣを自らの呼に追加する。これにより、図３０に示すように、通信端末ＴＡから通信端末ＴＢに向かう呼に追加されて通信端末ＴＣに向かう呼が設定される。
【０００６】
【発明が解決しようとする課題】
このように、従来の通信網における多地点接続は、ルート端末と他の通信端末との間の片方向通信を実現するものであり、任意の通信端末と他の通信端末との間での通信を実現することはできない。
【０００７】
また、このような片方向通信の呼を通信端末間でメッシュに設定して双方向通信を実現しようとすれば、全通信端末に、通信端末追加を要求すべき呼に関するルート端末を検知する機能が必要となり、通信端末の処理負荷が重くなる。
【０００８】
本発明は、このような背景に行われたものであって、双方向に通信を行うことができる多地点接続を通信端末に処理負荷をかけずに実現することができる通信網を提供することを目的とする。本発明は、通信端末相互間が片方向の呼設定を行うことにより自動的に双方向の呼設定を行うことができる通信網を提供することを目的とする。本発明は、あらかじめ定められたグループに属する通信端末がそのルート端末に呼設定を行うことによりルート端末からその通信端末への呼設定を自動的に行うことができる通信網を提供することを目的とする。
【０００９】
【課題を解決するための手段】
本発明の通信網は上記の目的を達成するため、通信網全体を制御するサービス制御ノードを設け、このサービス制御ノードが新規端末を収容する加入者交換機に呼設定処理を要求するための処理および既設定呼への新規端末の追加処理を加入者交換機に要求するための処理を行うことにより、多地点接続呼を通信端末間で双方向に設定することを最も主要な特徴とする。
【００１０】
サービス制御ノードが、既に設定された呼のルート端末による新規端末の追加要求（ＡＤＤＰＡＲＴＹ）に対して、他の既に設定された呼のルート端末を収容する加入者交換機にこの新規端末の追加を要求することができる。また、この新規端末がルート端末となる呼の接続先端末をこの新規端末を収容する加入者交換機に通知することにより、通信中の通信端末から追加要求（ＡＤＤＰＡＲＴＹ）を発行し、片方向通信の多地点接続呼を二つの通信端末間で双方向に設定し、上記呼よりセッションを構成して双方向の多地点接続通信を実現することができる。
【００１１】
あるいは、サービス制御ノードが、登録済グループ内で片方向多地点接続呼を設定している通信端末を知ることにより、グループ内の通信端末の通信への参加要求に対して、上記グループ内の通信端末へ接続先端末を通知することができる。また、この呼のルート端末にこのグループ内の通信端末の追加を要求することにより、片方向通信の多地点接続呼を二つの通信端末間で双方向に設定して、上記呼よりセッションを構成して、双方向の多地点接続通信を実現することができる。これにより、例えば、通信の開始時刻があらかじめ決まっている通信に参加するため、登録済グループ内の各通信端末がそれぞれ発呼する場合に適用できる。また、各通信端末が能動的に通信に参加する場合にも適用できる。
【００１２】
すなわち、本発明は通信網であって、複数の加入者交換機と、この加入者交換機を制御するサービス制御ノードと、前記加入者交換機にそれぞれ収容された多数の通信端末とを含み、ＡＴＭ通信を行う通信網である。
【００１３】
ここで、本発明の特徴とするところは、前記サービス制御ノードおよび前記通信端末には、そのサービス制御ノードが複数の通信端末間で特定の通信端末から他の通信端末に向かう片方向の通信が接続されたことを検知したときこの他の通信端末からこの特定の通信端末に向かうもう片方向の通信を接続しこの特定の通信端末とこの他の通信端末との通信を双方向の通信とするとともに、さらに前記特定の通信端末の追加要求（ＡＤＤＰＡＲＴＹ）にしたがって前記他の通信端末以外の通信端末を追加設定してこの特定の通信端末をルート（根）とする双方向のポイント・ツ・マルチポイント通信を設定接続する手段を備えたところにある。
【００１４】
前記双方向のポイント・ツ・マルチポイント通信を設定接続する手段は、
ａ．前記一つの通信端末ＴＡが前記複数の通信端末の一つである通信端末ＴＢとの接続要求としてその通信端末ＴＡを収容する加入者交換機ＳＡに対して呼設定要求（ＳＥＴＵＰ）を発行する手段、
ｂ．その呼設定要求（ＳＥＴＵＰ）を受信した加入者交換機ＳＡが、前記サービス制御ノードに対して通信端末ＴＢの論理アドレスから物理アドレスへの変換を要求するためのアドレス情報要求を発行する手段、
ｃ．そのアドレス情報要求を受信したサービス制御ノードが、加入者交換機ＳＡに対して前記アドレス情報要求への応答信号としてアドレス情報を発行する手段、
ｄ．そのアドレス情報を受信した加入者交換機ＳＡが、そのアドレス情報から通信端末ＴＢの物理アドレスを取得しその通信端末ＴＢを収容する加入者交換機ＳＢを経由して通信端末ＴＢに対して呼設定要求（ＳＥＴＵＰ）を発行するとともに、サービス制御ノードに対してアドレス情報の受信を通知するアドレス情報要求終了を発行する手段、
ｅ．そのアドレス情報要求終了を受信したサービス制御ノードが、加入者交換機ＳＢに対して通信端末ＴＢが呼設定要求（ＳＥＴＵＰ）を発行することを要求する信号として呼設定処理要求を発行する手段、
ｆ．その呼設定処理要求を受信した加入者交換機ＳＢが、通信端末ＴＢに対して発呼要求を発行する手段、
ｇ．その発呼要求を受信した通信端末ＴＢが、加入者交換機ＳＢに対して呼設定要求（ＳＥＴＵＰ）を発行する手段、
ｈ．この呼設定要求（ＳＥＴＵＰ）を受信した加入者交換機ＳＢが、加入者交換機ＳＡを経由して通信端末ＴＡに対して呼設定要求（ＳＥＴＵＰ）を発行するとともに、サービス制御ノードに対して呼設定処理要求の受信を通知する呼設定処理要求終了を発行する手段、
ｉ．通信端末ＴＡが、通信端末ＴＡと通信端末ＴＢとの間で呼が設定された状態で通信端末ＴＡと新たな通信端末ＴＣとの間に通信を追加設定するために加入者交換機に対して追加要求（ＡＤＤＰＡＲＴＹ）を発行する手段、
ｊ．この追加要求（ＡＤＤＰＡＲＴＹ）を受信した加入者交換機ＳＡが、サービス制御ノードに対して通信端末ＴＣのアドレス情報要求を発行する手段、
ｋ．このアドレス要求情報を受信したサービス制御ノードが、加入者交換機ＳＡに対して前記アドレス情報要求への応答信号としてアドレス情報を発行する手段、
ｌ．このアドレス情報を受信した加入者交換機ＳＡが、そのアドレス情報から通信端末ＴＣの物理アドレスを取得し通信端末ＴＣを収容する加入者交換機ＳＣを経由して通信端末ＴＣに対して呼設定要求（ＳＥＴＵＰ）を発行するとともにサービス制御ノードに対してアドレス情報の受信を通知するアドレス情報要求終了を発行する手段、
ｍ．このアドレス情報要求終了を受信したサービス制御ノードが、加入者交換機ＳＣに対して通信端末ＴＣが呼設定要求（ＳＥＴＵＰ）を発行することを要求する信号である呼設定処理要求を発行する手段、
ｎ．この呼設定処理要求を受信した加入者交換機ＳＣが通信端末ＴＣに対して発呼要求を発行する手段、
ｏ．この発呼要求を受信した通信端末ＴＣが、加入者交換機ＳＣに対して呼設定要求（ＳＥＴＵＰ）を発行する手段、
ｐ．この呼設定要求（ＳＥＴＵＰ）を受信した加入者交換機ＳＣが加入者交換機ＳＡを経由して通信端末ＴＡに対して呼設定要求（ＳＥＴＵＰ）を発行するとともに、サービス制御ノードに対して呼設定処理要求終了を発行する手段、
ｑ．この呼設定処理要求終了を受信したサービス制御ノードが、加入者交換機ＳＢに対して通信端末ＴＢが追加要求（ＡＤＤＰＡＲＴＹ）を発行することを要求する信号である追加処理要求を発行する手段、
ｒ．前記追加処理要求を受信した加入者交換機ＳＢが、通信端末ＴＢに対して発呼要求を発行する手段、
ｓ．この発呼要求を受信した通信端末ＴＢが、加入者交換機ＳＢに対して通信端末ＴＣへの追加要求（ＡＤＤＰＡＲＴＹ）を発行する手段、
ｔ．この追加要求（ＡＤＤＰＡＲＴＹ）を受信した加入者交換機ＳＢが、加入者交換機ＳＣを経由して通信端末ＴＣに対して呼設定要求（ＳＥＴＵＰ）を発行するとともに、サービス制御ノードに対して追加処理要求の受信を通知する追加処理要求終了を発行する手段、
ｕ．この追加処理要求終了を受信したサービス制御ノードが、加入者交換機ＳＣに対して通信端末ＴＣが追加要求（ＡＤＤＰＡＲＴＹ）を発行することを要求する信号として追加処理要求を発行する手段、
ｖ．この追加処理要求を受信した加入者交換機ＳＣが、通信端末ＴＣに対して発呼要求を発行する手段、
ｗ．この発呼要求を受信した通信端末ＴＣが、加入者交換機ＳＣに対して追加要求（ＡＤＤＰＡＲＴＹ）を発行する手段、および
ｘ．この追加要求（ＡＤＤＰＡＲＴＹ）を受信した加入者交換機ＳＣが、加入者交換機ＳＢを経由して通信端末ＴＢに対して呼設定要求（ＳＥＴＵＰ）を発行するとともに、サービス制御ノードに対して追加処理要求の受信を通知する追加処理要求終了を発行する手段、
を備えることが望ましい。
【００１５】
また、本発明は、複数の加入者交換機と、この加入者交換機を制御するサービス制御ノードと、前記加入者交換機にそれぞれ収容された多数の通信端末とを含み、ＡＴＭ通信を行う通信網である。
【００１６】
ここで、本発明の特徴とするところは、前記サービス制御ノードおよび前記通信端末には、そのサービス制御ノードにあらかじめ登録された複数の通信端末間で一つの通信端末から他の複数の通信端末に向かう片方向の通信が接続されたことを前記サービス制御ノードが検知すると、その登録された複数の通信端末から発生する呼設定要求（ＳＥＴＵＰ）に対して接続先端末を通知し、一つの通信端末から他の通信端末に向かう片方向の通信および他の通信端末から一つの通信端末に向かう片方向の通信を共に接続して双方向の通信とするとともに、さらに他の通信端末を追加設定して前記一つの通信端末をルートとする双方向のポイント・ツ・マルチポイント通信を設定接続する手段を備えたところにある。
【００１７】
前記双方向のポイント・ツ・マルチポイント通信を設定接続する手段は、
ａ．前記網に接続される通信端末ＴＡが、あらかじめサービス制御ノードに登録されているグループＧに含まれる通信端末との接続を要求するため、通信端末ＴＡを収容する加入者交換機ＳＡに対して呼設定要求（ＳＥＴＵＰ）を発行する手段、
ｂ．前記呼設定要求（ＳＥＴＵＰ）を受信した加入者交換機ＳＡが、前記サービス制御ノードに対して、前記グループＧに含まれる接続先端末の論理アドレスから物理アドレスへの変換を要求するためのアドレス情報要求を発行する手段、
ｃ．前記アドレス情報要求を受信したサービス制御ノードが、加入者交換機ＳＡに対して、前記アドレス情報要求への応答信号であるアドレス情報を発行する手段、
ｄ．前記アドレス情報を受信した加入者交換機ＳＡが、このアドレス情報から通信端末ＴＡの物理アドレスを取得し、通信端末ＴＡに対して呼設定要求（ＳＥＴＵＰ）を発行するとともに、サービス制御ノードに対してアドレス情報の受信を通知するためアドレス情報要求終了を発行する手段、
ｅ．前記グループＧに含まれる通信端末ＴＢが、グループＧに含まれる他の通信端末との接続を要求するため、通信端末ＴＢを収容する加入者交換機ＳＢに対して呼設定要求（ＳＥＴＵＰ）を発行する手段、
ｆ．前記呼設定要求（ＳＥＴＵＰ）を受信した加入者交換機ＳＢが、前記サービス制御ノードに対して、前記グループＧに含まれる接続先端末の論理アドレスから物理アドレスへの変換を要求するためのアドレス情報要求を発行する手段、
ｇ．前記アドレス情報要求を受信したサービス制御ノードが、加入者交換機ＳＢに対して、前記アドレス情報要求への応答信号であるアドレス情報を発行する手段、
ｈ．アドレス情報を受信した加入者交換機ＳＢが、ルーティング処理の後に加入者交換機ＳＡを経由して通信端末ＴＡに対して呼設定要求（ＳＥＴＵＰ）を発行するとともに、サービス制御ノードに対してアドレス情報の受信を通知するためにアドレス情報要求終了を発行する手段、
ｉ．前記アドレス情報要求終了を受信したサービス制御ノードが、加入者交換機ＳＡに対して、通信端末ＴＡが通信端末ＴＢへの追加要求（ＡＤＤＰＡＲＴＹ）を発行することを要求する信号である追加処理要求を発行する手段、
ｊ．前記追加処理要求を受信した加入者交換機ＳＡが、通信端末ＴＡに対して発呼要求を発行する手段、
ｋ．前記発呼要求を受信した通信端末ＴＡが、加入者交換機ＳＡに対して通信端末ＴＢへの追加要求（ＡＤＤＰＡＲＴＹ）を発行する手段、
ｌ．前記追加要求（ＡＤＤＰＡＲＴＹ）を受信した加入者交換機ＳＡが、ルーティング処理の後に加入者交換機ＳＢを経由して通信端末ＴＢに対して呼設定要求（ＳＥＴＵＰ）を発行するとともに、サービス制御ノードに対して追加処理要求の受信を通知するための追加処理要求終了を発行する手段、
ｍ．前記グループＧに含まれる通信端末ＴＣが、グループＧに含まれる他の通信端末との接続を要求するため、通信端末ＴＣを収容する加入者交換機ＳＣに対して呼設定要求（ＳＥＴＵＰ）を発行する手段、
ｎ．前記呼設定要求（ＳＥＴＵＰ）を受信した加入者交換機ＳＣが、前記サービス制御ノードに対して、前記グループＧに含まれる接続先端末の論理アドレスから物理アドレスへの変換を要求するためのアドレス情報要求を発行する手段、
ｏ．前記アドレス情報要求を受信したサービス制御ノードが、加入者交換機ＳＣに対して、前記アドレス情報要求への応答信号であるアドレス情報を発行する手段、
ｐ．アドレス情報を受信した加入者交換機ＳＣが、ルーティング処理の後に加入者交換機ＳＡを経由して通信端末ＴＡに対して呼設定要求（ＳＥＴＵＰ）を発行するとともに、サービス制御ノードに対してアドレス情報の受信を通知するためにアドレス情報要求終了を発行する手段、
ｑ．前記アドレス情報要求終了を受信したサービス制御ノードが、加入者交換機ＳＡに対して、通信端末ＴＡが通信端末ＴＣへの追加要求（ＡＤＤＰＡＲＴＹ）を発行することを要求する信号である追加処理要求を発行する手段、
ｒ．前記追加処理要求を受信した加入者交換機ＳＡが、通信端末ＴＡに対して発呼要求を発行する手段、
ｓ．前記発呼要求を受信した通信端末ＴＡが、加入者交換機ＳＡに対して通信端末ＴＣへの追加要求（ＡＤＤＰＡＲＴＹ）を発行する手段、
ｔ．前記追加要求（ＡＤＤＰＡＲＴＹ）を受信した加入者交換機ＳＡが、ルーティング処理の後に加入者交換機ＳＣを経由して通信端末ＴＣに対して呼設定要求（ＳＥＴＵＰ）を発行するとともに、サービス制御ノードに対して追加処理要求の受信を通知するために追加処理要求終了を発行する手段、
ｕ．前記アドレス情報要求を受信したサービス制御ノードが、加入者交換機ＳＣに対して、通信端末ＴＣが通信端末ＴＢへの追加要求（ＡＤＤＰＡＲＴＹ）を発行することを要求する信号である追加処理要求を発行する手段、
ｖ．前記追加処理要求を受信した加入者交換機ＳＣが、通信端末ＴＣに対して発呼要求を発行する手段、
ｗ．前記発呼要求を受信した通信端末ＴＣが、加入者交換機ＳＣに対して通信端末ＴＢへの追加要求（ＡＤＤＰＡＲＴＹ）を発行する手段、
ｘ．前記追加要求（ＡＤＤＰＡＲＴＹ）を受信した加入者交換機ＳＣが、ルーティング処理の後に加入者交換機ＳＢを経由して通信端末ＴＢに対して呼設定要求（ＳＥＴＵＰ）を発行するとともに、サービス制御ノードに対して追加処理要求の受信を通知するため追加処理要求終了を発行する手段、
ｙ．前記アドレス情報要求終了を受信したサービス制御ノードが、加入者交換機ＳＢに対して、通信端末ＴＢが通信端末ＴＣへの追加要求（ＡＤＤＰＡＲＴＹ）を発行することを要求する信号である追加処理要求を発行する手段、
ｚ．前記追加処理要求を受信した加入者交換機ＳＢが、通信端末ＴＢに対して発呼要求を発行する手段、
α．前記発呼要求を受信した通信端末ＴＢが、加入者交換機ＳＢに対して通信端末ＴＣへの追加要求（ＡＤＤＰＡＲＴＹ）を発行する手段、および
β．前記追加要求（ＡＤＤＰＡＲＴＹ）を受信した加入者交換機ＳＢが、ルーティング処理の後に加入者交換機ＳＣを経由して通信端末ＴＣに対して呼設定要求（ＳＥＴＵＰ）を発行するとともに、サービス制御ノードに対して追加処理要求の受信を通知するために追加処理要求終了を発行する手段、
を含むことが望ましい。
【００１８】
また、本発明は通信網であって、複数の加入者交換機と、この加入者交換機を制御するサービス制御ノードと、前記加入者交換機にそれぞれ収容された多数の通信端末とを含み、ＡＴＭ通信を行う通信網である。
【００１９】
ここで、本発明の特徴とするところは、前記通信端末、前記サービス制御ノードおよび前記加入者交換機には、一つの通信端末から他の通信端末に向かう片方向の通信を接続する手段として、
ａ．前記一つの通信端末ＴＡが前記複数の通信端末の一つである通信端末ＴＢとの接続要求としてその通信端末ＴＡを収容する加入者交換機ＳＡに対して呼設定要求（ＳＥＴＵＰ）を発行する手段、
ｂ．その呼設定要求（ＳＥＴＵＰ）を受信した加入者交換機ＳＡが、前記サービス制御ノードに対して通信端末ＴＢの論理アドレスから物理アドレスへの変換を要求するためのアドレス情報要求を発行する手段、
ｃ．そのアドレス情報要求を受信したサービス制御ノードが、加入者交換機ＳＡに対して前記アドレス情報要求への応答信号としてアドレス情報を発行する手段、
ｄ．そのアドレス情報を受信した加入者交換機ＳＡが、そのアドレス情報から通信端末ＴＢの物理アドレスを取得しその通信端末ＴＢを収容する加入者交換機ＳＢを経由して通信端末ＴＢに対して呼設定要求（ＳＥＴＵＰ）を発行するとともに、サービス制御ノードに対してアドレス情報の受信を通知するアドレス情報要求終了を発行する手段、
ｅ．そのアドレス情報要求終了を受信したサービス制御ノードが、加入者交換機ＳＢに対して通信端末ＴＢが呼設定要求（ＳＥＴＵＰ）を発行することを要求する信号として呼設定処理要求を発行する手段、
ｆ．その呼設定処理要求を受信した加入者交換機ＳＢが、通信端末ＴＢに対して発呼要求を発行する手段、
ｇ．その発呼要求を受信した通信端末ＴＢが、加入者交換機ＳＢに対して呼設定要求（ＳＥＴＵＰ）を発行する手段、および
ｈ．この呼設定要求（ＳＥＴＵＰ）を受信した加入者交換機ＳＢが、加入者交換機ＳＡを経由して通信端末ＴＡに対して呼設定要求（ＳＥＴＵＰ）を発行するとともに、サービス制御ノードに対して呼設定処理要求の受信を通知する呼設定処理要求終了を発行する手段、
を備えたところにある。
【００２０】
【発明の実施の形態】
【００２１】
【実施例】
（第一実施例）
本発明第一実施例の構成を図２を参照して説明する。図２は本発明第一実施例のルート端末と他の通信端末との呼設定の状況を示す図である。
【００２２】
本発明は通信網であって、加入者交換機ＳＡ、ＳＢ、ＳＣと、この加入者交換機ＳＡ、ＳＢ、ＳＣを制御するサービス制御ノードＳＣＰと、加入者交換機ＳＡ、ＳＢ、ＳＣにそれぞれ収容された通信端末ＴＡ、ＴＢ、ＴＣとを含み、ＡＴＭ通信を行う通信網である。
【００２３】
ここで、本発明の特徴とするところは、サービス制御ノードＳＣＰおよび通信端末ＴＡ、ＴＢ、ＴＣは、そのサービス制御ノードＳＣＰが通信端末ＴＡ、ＴＢ、ＴＣ間で特定の通信端末ＴＡから他の通信端末ＴＢに向かう片方向の通信が接続されたことを検知したとき通信端末ＴＢから通信端末ＴＡに向かうもう片方向の通信を接続し通信端末ＴＡと通信端末ＴＢとの通信を双方向の通信とするとともに、さらに通信端末ＴＡの追加要求（ＡＤＤＰＡＲＴＹ）にしたがって他の通信端末ＴＣを追加設定して通信端末ＴＡをルート（根）とする双方向のポイント・ツ・マルチポイント通信を設定接続するところにある。さらに、サービス制御ノードＳＣＰは、通信端末ＴＢ、ＴＣ相互間に自動的に双方向の呼設定を行う。
【００２４】
本発明第一実施例の動作を図１〜図１２を参照して説明する。図１、図３、図５、図７、図９、図１１は本発明第一実施例のルート端末と他の通信端末との呼設定を示すシークエンスチャートである。図２、図４、図６、図８、図１０、図１２は本発明第一実施例のルート端末と他の通信端末との呼設定の状況を示す図である。
【００２５】
図１、図３、図５、図７、図９、図１１は、通信端末ＴＡ、ＴＢ、ＴＣおよび加入者交換機ＳＡ、ＳＢ、ＳＣおよびサービス制御ノードＳＣＰ間の信号の流れおよびＩＴＵ−Ｔが規定するＵＮＩ（Ｕｓｅｒ  Ｎｅｔｗｏｒｋ  Ｉｎｔｅｒｆａｃｅ）信号およびＮＮＩ（Ｎｅｔｗｏｒｋ  Ｎｏｄｅ  Ｉｎｔｅｒｆａｃｅ）信号および特定網内でローカルに定義する信号およびＩＴＵ−Ｔで規定するＩＮＡＰ（ＩＮ  Ａｐｐｌｉｃａｔｉｏｎ  Ｐａｒｔ）  信号を用いて加入者交換機とサービス制御ノード間で定義する信号を示すシークエンスである。
【００２６】
図１に示すように、通信端末ＴＡが加入者交換機ＳＡに呼設定要求（ＳＥＴＵＰ）を発行すると（ステップ１）、加入者交換機ＳＡは、サービス制御ノードＳＣＰに、通信端末ＴＡが要求する接続先の通信端末ＴＢのアドレスを取得するために、アドレス情報要求を発行する（ステップ２）。
【００２７】
アドレス情報要求を受信したこのサービス制御ノードＳＣＰは、加入者交換機ＳＡに、通信端末ＴＢのアドレスを記述したアドレス情報を送信する（ステップ３）。
【００２８】
アドレス情報を受信した加入者交換機ＳＡは、通信端末ＴＢのアドレスを取得して、加入者交換機ＳＢにＩＡＭを発行するとともに、サービス制御ノードＳＣＰにアドレス情報要求終了を発行する（ステップ４）。ＩＡＭを受信した加入者交換機ＳＢは、通信端末ＴＢに、呼設定要求（ＳＥＴＵＰ）を送信する（ステップ５）。これにより図２に示すように、通信端末ＴＡから通信端末ＴＢへの呼が設定される。
【００２９】
図３に示すように、アドレス情報要求終了を受信したサービス制御ノードＳＣＰは、加入者交換機ＳＢに、加入者交換機ＳＢが通信端末ＴＢに呼設定要求（ＳＥＴＵＰ）発行を要求するために、呼設定処理要求を発行する（ステップ６）。呼設定処理要求を受信した加入者交換機ＳＢは、通信端末ＴＢに発呼要求を発行する（ステップ７）。発呼要求を受信した通信端末ＴＢは、加入者交換機ＳＢに、呼設定要求（ＳＥＴＵＰ）を発行する（ステップ８）。呼設定要求（ＳＥＴＵＰ）を受信した加入者交換機ＳＢは、加入者交換機ＳＡにＩＡＭを発行するとともに、サービス制御ノードＳＣＰに呼設定処理要求終了を発行する（ステップ９）。ＩＡＭを受信した加入者交換機ＳＡは、通信端末ＴＡに、呼設定要求（ＳＥＴＵＰ）を送信する（ステップ１０）。これにより図４に示すように、通信端末ＴＢから通信端末ＴＡへの呼が設定され、通信端末ＴＡおよびＴＢは双方向に呼が設定される。
【００３０】
図５に示すように、通信端末ＴＡが、通信端末ＴＡおよびＴＢ間の通信に通信端末ＴＣを追加するとき、通信端末ＴＡは加入者交換機ＳＡに、追加要求（ＡＤＤＰＡＲＴＹ）を発行する（ステップ１１）。追加要求（ＡＤＤＰＡＲＴＹ）を受信した加入者交換機ＳＡは、サービス制御ノードＳＣＰに、通信端末ＴＣのアドレスを取得するために、アドレス情報要求を発行する（ステップ１２）。アドレス情報要求を受信したサービス制御ノードＳＣＰは、加入者交換機ＴＡに通信端末ＴＣのアドレスを記述したアドレス情報を送信し、また加入者交換機ＳＢに通信端末ＴＣのアドレスを記述した追加処理要求を発行する（ステップ１３）。アドレス情報を受信した加入者交換機ＳＡは、加入者交換機ＳＣに、ＩＡＭを発行するとともに、サービス制御ノードＳＣＰにアドレス情報要求終了を発行する（ステップ１４）。ＩＡＭを受信した加入者交換機ＳＣは、通信端末ＴＣに、通信端末ＴＡからの呼設定要求（ＳＥＴＵＰ）を発行する（ステップ１５）。これにより図６に示すように、通信端末ＴＡおよびＴＢに設定された双方向の呼に、通信端末ＴＡから通信端末ＴＣへの片方向の呼が追加設定される。
【００３１】
図７に示すように、アドレス情報要求終了を受信したサービス制御ノードＳＣＰは、加入者交換機ＳＣに、加入者交換機ＳＣが通信端末ＴＣに通信端末ＴＡへの呼設定要求（ＳＥＴＵＰ）発行を要求するために、呼設定処理要求を発行する（ステップ１６）。呼設定処理要求を受信した加入者交換機ＳＣは、通信端末ＴＣに、通信端末ＴＡへの発呼要求を送信する（ステップ１７）。発呼要求を受信した通信端末ＴＣは、加入者交換機ＳＣに、通信端末ＴＡへの呼設定要求（ＳＥＴＵＰ）を発行する（ステップ１８）。呼設定要求（ＳＥＴＵＰ）を受信した加入者交換機ＳＣは、加入者交換機ＳＡに、ＩＡＭを発行するとともに、サービス制御ノードＳＣＰに呼設定処理要求終了を発行する（ステップ１９）。ＩＡＭを受信した加入者交換機ＳＡは、通信端末ＴＡに、通信端末ＴＣからの呼設定要求（ＳＥＴＵＰ）を発行する（ステップ２０）。これにより、図８に示すように、通信端末ＴＣから通信端末ＴＡへの呼が設定され、通信端末ＴＡおよびＴＣの間に双方向の呼が設定される。
【００３２】
図９に示すように、この呼設定処理要求終了を受信したサービス制御ノードＳＣＰが、加入者交換機ＳＢに対して通信端末ＴＢが追加要求（ＡＤＤＰＡＲＴＹ）を発行することを要求する信号である追加処理要求を発行する（ステップ２１）。サービス制御ノードＳＣＰからの追加処理要求を受信した加入者交換機ＳＢは、通信端末ＴＢに発呼要求を発行する（ステップ２２）。発呼要求を受信した通信端末ＴＢは、加入者交換機ＳＢに、通信端末ＴＢが発した呼に通信端末ＴＣを追加するために、追加要求（ＡＤＤＰＡＲＴＹ）を発行する（ステップ２３）。追加要求（ＡＤＤＰＡＲＴＹ）を受信した加入者交換機ＳＢは、加入者交換機ＳＣに、ＩＡＭを発行するとともに、サービス制御ノードＳＣＰに追加処理要求終了を発行する（ステップ２４）。ＩＡＭを受信した加入者交換機ＳＣは、通信端末ＴＣに、通信端末ＴＢからの呼設定要求（ＳＥＴＵＰ）を発行する（ステップ２５）。これにより図１０に示すように、通信端末ＴＢが発した呼への通信端末ＴＣの追加が行われる。通信端末ＴＢから通信端末ＴＣに向かう片方向の呼が設定される。
【００３３】
図１１に示すように、アドレス情報要求終了を受信したサービス制御ノードＳＣＰは、加入者交換機ＳＣに、加入者交換機ＳＣが通信端末ＴＣに通信端末ＴＢへの追加要求（ＡＤＤＰＡＲＴＹ）発行を要求するために、追加処理要求を発行する（ステップ２６）。追加処理要求を受信した加入者交換機ＳＣは、通信端末ＴＣに、通信端末ＴＢへの発呼要求を送信する（ステップ２７）。発呼要求を受信した通信端末ＴＣは、加入者交換機ＳＣに、通信端末ＴＢへの追加要求（ＡＤＤＰＡＲＴＹ）を発行する（ステップ２８）。追加要求（ＡＤＤＰＡＲＴＹ）を受信した加入者交換機ＳＣは、加入者交換機ＳＢにＩＡＭを発行するとともに、サービス制御ノードＳＣＰに追加処理要求終了を発行する（ステップ２９）。ＩＡＭを受信した加入者交換機ＳＢは、通信端末ＴＢに、通信端末ＴＣからの呼設定要求（ＳＥＴＵＰ）を発行する（ステップ３０）。これにより図１２に示すように、通信端末ＴＢおよびＴＣの間に双方向の呼が設定される。
【００３４】
以上のような信号シークエンスによれば、通信を行う通信端末ＴＡ、ＴＢ、ＴＣが、それぞれ片方向の多地点接続呼を発することにより、同一セッションを構成する複数の呼を通信端末間で双方向に自動的に設定することができるので、一つの任意の通信端末と他の通信端末との間での通信を実現することができる。
【００３５】
（第二実施例）
本発明第二実施例の動作を図１３〜図２６を参照して説明する。図１３、図１５、図１７、図１９、図２１、図２３、図２５は本発明第二実施例のルート端末と他の通信端末との呼設定を示すシークエンスチャートである。図１４、図１６、図１８、図２０、図２２、図２４、図２６は本発明第二実施例のルート端末と他の通信端末との呼設定の状況を示す図である。
【００３６】
図１３、図１５、図１７、図１９、図２１、図２３、図２５は、通信端末ＴＡ、ＴＢ、ＴＣおよび加入者交換機ＳＡ、ＳＢ、ＳＣおよびサービス制御ノードＳＣＰ間の信号の流れおよびＩＴＵ−Ｔが規定するＵＮＩ（Ｕｓｅｒ  Ｎｅｔｗｏｒｋ  Ｉｎｔｅｒｆａｃｅ）信号およびＮＮＩ（Ｎｅｔｗｏｒｋ  Ｎｏｄｅ  Ｉｎｔｅｒｆａｃｅ）信号および特定網内でローカルに定義する信号およびＩＴＵ−Ｔで規定するＩＮＡＰ（ＩＮ  Ａｐｐｌｉｃａｔｉｏｎ  Ｐａｒｔ）  信号を用いて加入者交換機とサービス制御ノード間で定義する信号を示すシークエンスである。
【００３７】
本発明第二実施例は、サービス制御ノードＳＣＰに、ルート端末となる通信端末ＴＡおよび他の通信端末ＴＢおよびＴＣからなるグループをあらかじめ記憶し通信端末ＴＢまたはＴＣのいずれかから通信端末ＴＡに向かう片方向に呼設定されたとき、通信端末ＴＡから通信端末ＴＢまたはＴＣに向かう方向に自動的に呼設定を行う手段を備えた構成である。さらに、サービス制御ノードＳＣＰは、通信端末ＴＢ、ＴＣ相互間に自動的に双方向の呼設定を行う。
【００３８】
図１３に示すように、通信端末Ａが、加入者交換機ＳＡに、あらかじめサービス制御ノードＳＣＰに登録されているグループＧへの呼設定要求（ＳＥＴＵＰ）を発行すると（ステップ１）、呼設定要求（ＳＥＴＵＰ）を受信した加入者交換機ＳＡは、サービス制御ノードＳＣＰに、通信端末ＴＡが要求する接続先の通信端末のアドレスを取得するために、アドレス情報要求を発行する（ステップ２）。アドレス情報要求を受信したサービス制御ノードＳＣＰは、加入者交換機ＳＡに、通信端末ＴＡのアドレスを記述したアドレス情報を送信する（ステップ３）。アドレス情報を受信した加入者交換機ＳＡは、通信端末ＴＡに呼設定要求（ＳＥＴＵＰ）を発行するとともに、サービス制御ノードＳＣＰに、アドレス情報要求終了を送信する（ステップ４）。これにより図１４に示すように、サービス制御ノードＳＣＰには、通信端末ＴＡからのグループＧに登録されている複数の通信端末への呼設定要求（ＳＥＴＵＰ）が記録される。
【００３９】
図１５に示すように、通信端末ＴＢが、加入者交換機ＳＢに、通信端末ＴＡが発呼しているグループＧへの呼設定要求（ＳＥＴＵＰ）を発行すると（ステップ５）、呼設定要求（ＳＥＴＵＰ）を受信した加入者交換機ＳＢは、サービス制御ノードＳＣＰに、通信端末ＴＢが要求する接続先の通信端末のアドレスを取得するために、アドレス情報要求を発行する（ステップ６）。アドレス情報要求を受信したサービス制御ノードＳＣＰは、加入者交換機ＳＢに、通信端末ＴＡのアドレスを記述したアドレス情報を送信する（ステップ７）。アドレス情報を受信した加入者交換機ＳＢは、加入者交換機ＳＡにＩＡＭを発行するとともに、サービス制御ノードＳＣＰにアドレス情報要求終了を発行する（ステップ８）。ＩＡＭを受信した加入者交換機ＳＡは、通信端末ＴＡに、呼設定要求（ＳＥＴＵＰ）を送信する（ステップ９）。これにより図１６に示すように、通信端末ＴＢから通信端末ＴＡへの呼が設定される。
【００４０】
図１７に示すように、アドレス情報要求終了を受信したサービス制御ノードＳＣＰは、加入者交換機ＳＡに、加入者交換機ＳＡが通信端末ＴＡに通信端末ＴＢへの追加要求（ＡＤＤＰＡＲＴＹ）発行を要求するために、追加処理要求を発行する（ステップ１０）。追加処理要求を受信した加入者交換機ＳＡは、通信端末ＴＡへの発呼要求を送信する（ステップ１１）。発呼要求を受信した通信端末ＴＡは、加入者交換機ＳＡに、通信端末ＴＢへの追加要求（ＡＤＤＰＡＲＴＹ）を発行する（ステップ１２）。追加要求（ＡＤＤＰＡＲＴＹ）を受信した加入者交換機ＳＡは、加入者交換機ＳＢに、ＩＡＭを発行するとともに、サービス制御ノードＳＣＰに追加処理要求終了を発行する（ステップ１３）。ＩＡＭを受信した加入者交換機ＳＢは、通信端末ＴＢに、通信端末ＴＡからの呼設定要求（ＳＥＴＵＰ）を発行する（ステップ１４）。これにより図１８に示すように、通信端末ＴＡから通信端末ＴＢへの呼が設定され、通信端末ＴＡおよびＴＢの間に双方向の呼が設定される。
【００４１】
図１９に示すように、通信端末ＴＣが、加入者交換機ＳＣに、通信端末ＴＡおよびＴＢが発呼しているグループＧへの呼設定要求（ＳＥＴＵＰ）を発行すると（ステップ１５）、呼設定要求（ＳＥＴＵＰ）を受信した加入者交換機ＳＣは、サービス制御ノードＳＣＰに、通信端末ＴＣが要求する接続先端末のアドレスを取得するために、アドレス情報要求を発行する（ステップ１６）。アドレス情報要求を受信したサービス制御ノードＳＣＰは、加入者交換機ＳＣに、通信端末ＴＡのアドレスを記述したアドレス情報および通信端末ＴＢのアドレスを記述した追加処理要求を送信する（ステップ１７）。通信端末ＴＡのアドレスを記述したアドレス情報を受信した加入者交換機ＳＣは、加入者交換機ＳＡに、ＩＡＭを発行するとともに、サービス制御ノードＳＣＰへ、通信端末ＴＡのアドレスを記述したアドレス情報要求に対応するアドレス情報要求終了を発行する（ステップ１８）。ＩＡＭを受信した加入者交換機ＳＡは、通信端末ＴＡに、通信端末ＴＣからの呼設定要求（ＳＥＴＵＰ）を発行する（ステップ１９）。これにより図２０に示すように、通信端末ＴＣから通信端末ＴＡへの片方向の呼が設定される。
【００４２】
図２１に示すように、通信端末ＴＡのアドレスを記述したアドレス情報要求に対応するアドレス情報要求終了を受信したサービス制御ノードＳＣＰは、加入者交換機ＳＡへ、加入者交換機ＳＡが通信端末ＴＡに通信端末ＴＣへの追加要求（ＡＤＤＰＡＲＴＹ）発行を要求するために、追加処理要求を発行する（ステップ２０）。追加処理要求を受信した加入者交換機ＳＡは、通信端末ＴＡへ、通信端末ＴＣへの発呼要求を送信する（ステップ２１）。発呼要求を受信した通信端末ＴＡは、加入者交換機ＳＡに、通信端末ＴＣへの追加要求（ＡＤＤＰＡＲＴＹ）を発行する（ステップ２２）。追加要求（ＡＤＤＰＡＲＴＹ）を受信した加入者交換機ＳＡは、加入者交換機ＳＣへ、ＩＡＭを発行するとともに、サービス制御ノードＳＣＰに追加処理要求終了を発行する（ステップ２３）。ＩＡＭを受信した加入者交換機ＳＣは、通信端末ＴＣへ、通信端末ＴＡからの呼設定要求（ＳＥＴＵＰ）を発行する（ステップ２４）。これにより図２２に示すように、通信端末ＴＡから通信端末ＴＣへの呼が設定され、通信端末ＴＡおよびＴＣの間に双方向の呼が設定される。
【００４３】
図２３に示すように、加入者交換機ＳＡからの追加処理要求終了を受信したサービス制御ノードＳＣＰは、加入者交換機ＳＣへ、加入者交換機ＳＣが通信端末ＴＣに通信端末ＴＢへの追加要求（ＡＤＤＰＡＲＴＹ）発行を要求するために、追加処理要求を発行する（ステップ２５）。通信端末ＴＢのアドレスを記述した追加処理要求を受信した加入者交換機ＳＣは、通信端末ＴＣへ発呼要求を発行する（ステップ２６）。発呼要求を受信した通信端末ＴＣは、加入者交換機ＳＣへ、通信端末ＴＢの追加要求（ＡＤＤＰＡＲＴＹ）を発行する（ステップ２７）。追加要求（ＡＤＤＰＡＲＴＹ）を受信した加入者交換機ＳＣは、加入者交換機ＳＢへ、ＩＡＭを発行するとともに、サービス制御ノードＳＣＰへ、通信端末ＴＢのアドレスを記述した追加処理要求に対応する追加処理要求終了を発行する（ステップ２８）。ＩＡＭを受信した加入者交換機ＳＢは、通信端末ＴＢへ、通信端末ＴＣからの呼設定要求（ＳＥＴＵＰ）を発行する（ステップ２９）。これにより図２４に示すように通信端末ＴＣから通信端末ＴＢへの片方向の呼が設定される。
【００４４】
図２５に示すように、通信端末ＴＢのアドレスを記述した追加処理要求に対応するアドレス情報要求終了を受信したサービス制御ノードＳＣＰは、加入者交換機ＳＢに、加入者交換機ＳＢが通信端末ＴＢに通信端末ＴＣへの追加要求（ＡＤＤＰＡＲＴＹ）発行を要求するために、追加処理要求を発行する（ステップ３０）。追加処理要求を受信した加入者交換機ＳＢは、通信端末ＴＢに、通信端末ＴＣへの発呼要求を送信する（ステップ３１）。発呼要求を受信した通信端末ＴＢは、加入者交換機ＳＢに、通信端末ＴＣへの追加要求（ＡＤＤＰＡＲＴＹ）を発行する（ステップ３２）。追加要求（ＡＤＤＰＡＲＴＹ）を受信した加入者交換機ＳＢは、加入者交換機ＳＣへ、ＩＡＭを発行するとともに、サービス制御ノードＳＣＰへ追加処理要求終了を発行する（ステップ３３）。ＩＡＭを受信した加入者交換機ＳＣは、通信端末ＴＣに、通信端末ＴＢからの呼設定要求（ＳＥＴＵＰ）を発行する（ステップ３４）。これにより図２６に示すように、通信端末ＴＢから通信端末ＴＣへの呼が設定され、通信端末ＴＢおよびＴＣの間に双方向の呼が設定される。
【００４５】
（実施例まとめ）
以上のようなシークエンスによれば、グループ内の任意端末の要求により、この任意端末はグループ内の通信に参加する際に片方向の多地点接続呼を発することができ、かつ既に通信に参加している通信端末からの発呼を受信することができるので、この通信に関する複数のこの呼よりセッションを構成して、双方向の多地点接続通信を実現することができる。
【００４６】
このように、通信に参加する一つの任意端末と他の通信端末間で、片方向の多地点接続呼を発することができるので、この通信に関する複数の呼より、双方向の多地点接続通信を実現することができる。
【００４７】
また、グループ内の任意端末の要求により、この任意端末はグループ内の通信に参加する際に片方向の多地点接続呼を発することができ、かつ既に通信に参加している通信端末からの発呼を受信することができるので、グループ内の任意端末は、双方向の多地点接続通信を実現することができる。
【００４８】
本発明第一および第二実施例では、三つの通信端末ＴＡ、ＴＢ、ＴＣを例にとり説明したが、Ｎ個の通信端末ＴＡ、ＴＢ、ＴＣ、…、ＴＮに拡張した場合にも同様に説明することができる。
【００４９】
【発明の効果】
以上説明したように、本発明によれば、双方向に通信を行うことができる多地点接続を通信端末に処理負荷をかけずに実現することができる。すなわち、通信端末相互間が片方向の呼設定を行うことにより自動的に双方向の呼設定を行うことができる。あるいは、あらかじめ定められたグループに属する通信端末がそのルート端末に呼設定を行うことによりルート端末からその通信端末への呼設定を自動的に行うことができる。
【図面の簡単な説明】
【図１】本発明第一実施例のルート端末と他の通信端末との呼設定を示すシークエンスチャート。
【図２】本発明第一実施例のルート端末と他の通信端末との呼設定の状況を示す図。
【図３】本発明第一実施例のルート端末と他の通信端末との呼設定を示すシークエンスチャート。
【図４】本発明第一実施例のルート端末と他の通信端末との呼設定の状況を示す図。
【図５】本発明第一実施例のルート端末と他の通信端末との呼設定を示すシークエンスチャート。
【図６】本発明第一実施例のルート端末と他の通信端末との呼設定の状況を示す図。
【図７】本発明第一実施例のルート端末と他の通信端末との呼設定を示すシークエンスチャート。
【図８】本発明第一実施例のルート端末と他の通信端末との呼設定の状況を示す図。
【図９】本発明第一実施例のルート端末と他の通信端末との呼設定を示すシークエンスチャート。
【図１０】本発明第一実施例のルート端末と他の通信端末との呼設定の状況を示す図。
【図１１】本発明第一実施例のルート端末と他の通信端末との呼設定を示すシークエンスチャート。
【図１２】本発明第一実施例のルート端末と他の通信端末との呼設定の状況を示す図。
【図１３】本発明第二実施例のルート端末と他の通信端末との呼設定を示すシークエンスチャート。
【図１４】本発明第二実施例のルート端末と他の通信端末との呼設定の状況を示す図。
【図１５】本発明第二実施例のルート端末と他の通信端末との呼設定を示すシークエンスチャート。
【図１６】本発明第二実施例のルート端末と他の通信端末との呼設定の状況を示す図。
【図１７】本発明第二実施例のルート端末と他の通信端末との呼設定を示すシークエンスチャート。
【図１８】本発明第二実施例のルート端末と他の通信端末との呼設定の状況を示す図。
【図１９】本発明第二実施例のルート端末と他の通信端末との呼設定を示すシークエンスチャート。
【図２０】本発明第二実施例のルート端末と他の通信端末との呼設定の状況を示す図。
【図２１】本発明第二実施例のルート端末と他の通信端末との呼設定を示すシークエンスチャート。
【図２２】本発明第二実施例のルート端末と他の通信端末との呼設定の状況を示す図。
【図２３】本発明第二実施例のルート端末と他の通信端末との呼設定を示すシークエンスチャート。
【図２４】本発明第二実施例のルート端末と他の通信端末との呼設定の状況を示す図。
【図２５】本発明第二実施例のルート端末と他の通信端末との呼設定を示すシークエンスチャート。
【図２６】本発明第二実施例のルート端末と他の通信端末との呼設定の状況を示す図。
【図２７】従来例のルート端末と他の通信端末との呼設定を示すシークエンスチャート。
【図２８】従来例のルート端末と他の通信端末との呼設定の状況を示す図。
【図２９】従来例のルート端末と他の通信端末との呼設定を示すシークエンスチャート。
【図３０】従来例のルート端末と他の通信端末との呼設定の状況を示す図。
【符号の説明】
ＳＡ、ＳＢ、ＳＣ  加入者交換機
ＳＣＰ  サービス制御ノード
ＴＡ、ＴＢ、ＴＣ  通信端末
【図１】
0003568723.tif 000002
【図２】
0003568723.tif 000003
【図３】
0003568723.tif 000004
【図４】
0003568723.tif 000005
【図５】
0003568723.tif 000006
【図６】
0003568723.tif 000007
【図７】
0003568723.tif 000008
【図８】
0003568723.tif 000009
【図９】
0003568723.tif 000010
【図１０】
0003568723.tif 000011
【図１１】
0003568723.tif 000012
【図１２】
0003568723.tif 000013
【図１３】
0003568723.tif 000014
【図１４】
0003568723.tif 000015
【図１５】
0003568723.tif 000016
【図１６】
0003568723.tif 000017
【図１７】
0003568723.tif 000018
【図１８】
0003568723.tif 000019
【図１９】
0003568723.tif 000020
【図２０】
0003568723.tif 000021
【図２１】
0003568723.tif 000022
【図２２】
0003568723.tif 000023
【図２３】
0003568723.tif 000024
【図２４】
0003568723.tif 000025
【図２５】
0003568723.tif 000026
【図２６】
0003568723.tif 000027
【図２７】
0003568723.tif 000028
【図２８】
0003568723.tif 000029
【図２９】
0003568723.tif 000030
【図３０】
0003568723.tif 000031